(57)【要約】【課題】  容易に電気掃除機に接続することができる電気掃除機の吸込口体を提供すること。【解決手段】  塵埃を吸い込む吸込口２６を有する吸込口本体２１に、この吸込口２６に連通すると共に電気掃除機１０の延長管（連通管）１４に接続される接続管２２が取り付けられ、この接続管２２が、吸込口本体２１の長手方向に対して直交する第一回動軸Ａを中心に左右方向に回動可能に支持されると共に、この第一回動軸Ａに対して直交する第二回動軸Ｂを中心に上下方向に回動可能に支持された吸込口体２０であって、吸込口本体２１は、延長管１４から離間した際に接続管２２を起立した状態に保持するねじりバネ９０、下側バネ保持部６９Ａ、上側バネ保持部６９Ｂ（上下方向付勢手段）及び噛合部材４０、コイルバネ４１、歯車部４２（左右方向付勢手段）を備えている。【選択図】図３
2006326127.tif 000002
【特許請求の範囲】
【請求項１】
塵埃を吸い込む吸込口を有する吸込口本体に、前記吸込口に連通すると共に電気掃除機の連通管に接続される接続管が取り付けられ、該接続管が、前記吸込口本体の長手方向に対して直交する第一回動軸を中心に左右方向に回動可能に支持されると共に、前記第一回動軸に対して直交する第二回動軸を中心に上下方向に回動可能に支持された電気掃除機の吸込口体であって、
前記吸込口本体は、前記連通管から離間した前記接続管を起立した状態に保持する上下方向付勢手段及び左右方向付勢手段を備えたことを特徴とする電気掃除機の吸込口体。
【発明の詳細な説明】
【技術分野】
【０００１】
本発明は、吸込口本体の長手方向に直交する第一回動軸を中心に回動可能に支持されると共に、第一回動軸に直交する第二回動軸を中心に回動可能に支持された接続管を備えた電気掃除機の吸込口体に関するものである。
【背景技術】
【０００２】
従来の吸込口体としては、吸込口本体に対して電気掃除機に接続される接続管を、上下方向及び左右方向に自在に回動可能にしたものが知られている（例えば、特許文献１参照）。
【特許文献１】特開平１１−２０６６５４号公報
【発明の開示】
【発明が解決しようとする課題】
【０００３】
しかしながら、上述の吸込口体では、吸込口体の接続管と電気掃除機とを離間させると、接続管が自重によって下方に回動すると共に、左右方向のどちらかに回動し、接続管が倒れてしまっていた。
【０００４】
そのため、電気掃除機に吸込口体を接続するには、使用者が電気掃除機と接続しやすい角度に接続管を支持しながら電気掃除機に接続しなければならないという問題が生じていた。
【０００５】
そこで、この発明は、容易に電気掃除機に接続することができる電気掃除機の吸込口体を提供することを課題としている。
【課題を解決するための手段】
【０００６】
上記課題を解決するために、この発明は、塵埃を吸い込む吸込口を有する吸込口本体に、前記吸込口に連通すると共に電気掃除機の連通管に接続される接続管が取り付けられ、該接続管が、前記吸込口本体の長手方向に対して直交する第一回動軸を中心に左右方向に回動可能に支持されると共に、前記第一回動軸に対して直交する第二回動軸を中心に上下方向に回動可能に支持された電気掃除機の吸込口体であって、前記吸込口本体は、前記連通管から離間した前記接続管を起立した状態に保持する上下方向付勢手段及び左右方向付勢手段を備えたことを特徴としている。
【発明の効果】
【０００７】
本発明の電気掃除機の吸込口体によれば、上下方向付勢手段及び左右方向付勢手段によって、連通管から離間した接続管を起立した状態に保持することができる。
【０００８】
これにより、接続管と連通管とを接続する際に、接続管を接続しやすい方向に向けて支持する必要がなくなり、容易に電気掃除機に接続することができる。
【発明を実施するための最良の形態】
【０００９】
次に、図面に基づいて、この発明を実施するための最良の形態の電気掃除機の吸込口体を説明する。
【００１０】
図１に示す電気掃除機１０は、掃除機本体１１と、この掃除機本体１１の前部に形成されたホース接続口１１ａに一端が着脱可能に接続された集塵ホース１２と、この集塵ホース１２の他端の手元操作パイプ１３に着脱可能に接続された連通管としての延長管１４とを備えている。また、掃除機本体１１の内部には、集塵ホース１２に連通した集塵袋１５と、この集塵袋１５に吸込負圧を作用させる電動送風機１６とが設けられている。そして、延長管１４の先端部には、吸込口体２０が着脱可能に接続されている。
【００１１】
吸込口体２０は、図２に示すように、延長管１４に対して左右方向に長く延びた吸込口本体２１と、この吸込口本体２１に取り付けられた接続管２２とを備えている。この接続管２２が延長管１４内に挿入接続されることにより、延長管１４に吸込口体２０が接続されることとなる。
【００１２】
ここで、手元操作パイプ１３を握って広い床面等の被清掃面Ｆを清掃する場合、吸込口本体２１の長手方向であるＹ軸方向は、延長管１４の軸方向Ｘに対して直交するように向けられる。
【００１３】
吸込口本体２１は、図３に示すように、下側に位置する下ケース２３と、この下ケース２３の上方に組みつけられる上ケース２４とを有している。
【００１４】
下ケース２３と上ケース２４との互いの前部は、図示しない孔とフックとにより結合され、互いの後部は、上ケース２４の一部を構成し、接続管２２を回動自在に保持する後部カバー３０により結合される。そして、下ケース２３と上ケース２４の内部に吸込口室２５が形成されている。
【００１５】
吸込口室２５は、下ケース２３に形成された吸込口２６により、被清掃面Ｆに向かって開放している。この吸込口室２５の内部には、周面に複数のブレード２７ａを螺旋状に突出形成した回転清掃体２７が配置されている。
【００１６】
この回転清掃体２７は、図２に示す吸込口体２０の長手方向（Ｙ軸方向）に沿って延びており、左右両端部が下ケース２３に形成された一対の軸受凹部２３ａ（図４参照）と上ケース２４に形成された一対の軸受凹部（図示せず）との間に回動自在に挟持されている。なお、この回転清掃体２７は、吸込口２６に臨む位置に設けられている。
【００１７】
そして、下ケース２３の前縁部には、一対の前輪２８ａ、２８ａ（図２参照）が回転自在に保持され、後部には、後部カバー３０の円筒部３１の前端開口部を支持する縦壁部２３ｂ（図４参照）が突設されている。縦壁部２３ｂの上縁部は、後部カバー３０の円筒部３１の内壁と連なる円形凹部形状とされ、吸込口室２５内に吸い込まれた気流を通過させるようになっている。
【００１８】
さらに、後壁部２３ｂの後方には、噛合部材４０が設けられている。この噛合部材４０は、Ｙ軸方向に沿って延在され、図５に示すように、上方に突出した多数の歯４０ａを有している。また、この噛合部材４０の両端部には、それぞれコイルバネ４１、４１が取り付けられ、このコイルバネ４１、４１によって、下ケース２３の左右方向のほぼ中央に位置するように付勢されている。
【００１９】
そして、下部ケース２３の後縁部には、図４に示すように、一対の車輪支持部２９ａ、２９ａが突設され、一対の車輪支持部２９ａ、２９ａの間に、後輪２９ｂ（図３参照）が回転自在に支持されている。２９ｃは、一対の車輪支持部２９ａ、２９ａを連結する連結補強板である。
【００２０】
なお、後輪２９ｂの回転中心は、接続管２２の先端部に設けられた後述する連結部５０の回動軸５１の中心より後方に設定されており、接続管２２を下方である被清掃面Ｆ側に傾けたときに、吸込口本体２１の前部が被清掃面Ｆから浮き上がらないようになっている。
【００２１】
また、前輪２８ａ、２８ａ及び後輪２９ｂは、Ｙ軸に平行な回転軸を有し、吸込口体２０の前後方向に回転自在とされている。なお、前輪２８ａ、２８ａ及び後輪２９ｂの代わりに被清掃面Ｆに鉛直な軸心を中心として回転自在なキャスターを設けたり、ボールを回転自在に保持させたりすることにより、吸込口体２０をＸ軸及びＹ軸方向に自在に可動としても良い。
【００２２】
そして、下ケース２３と上ケース２４との間には、バンパ２１ａが挟持されている。このバンパ２１ａは、吸込口体２０後部に位置する一対の車輪支持部２９ａ、２９ａの両側から吸込口体２０の側部及び前部を覆っている。
【００２３】
後部カバー３０は、図６（ａ）に示すように、円筒部３１、回動部３２、中央カバー部３３、一対の側部カバー部３４、３４、後部縦壁部３５、一対の脚部上壁部３６、３６、軸受部６０を有している。
【００２４】
円筒部３１は、両端が開口した円筒形状を呈しており、中心に吸込口本体２１の長手方向であるＹ軸方向に対して直交する第一回動軸Ａ（図３参照）が通っている。この円筒部３１は、下ケース２３の縦壁部２３ｂに前端部が支持されている。
【００２５】
回動部３２は、内側に円筒部３１が挿入嵌合され、円筒部３１の第一回動軸Ａに対して相対的に３６０°回動可能となっている。この回動部３２の後端部の外周面には、図５に示すように、歯車部４２が形成されている。
【００２６】
この歯車部４２は、回動部３２の外周面の下側半分から突出形成されており、噛合部材４０の歯４０ａと噛み合う多数の歯４２ａを有している。
【００２７】
そして、回動部３２が回動すると、噛合部材４０の歯４０ａと歯車部４２の歯４２ａとが互いに噛み合い、コイルバネ４１、４１の付勢力に抗して噛合部材４０が左右方向に移動するようになっている。
【００２８】
ここで、噛合部材４０がコイルバネ４１、４１によって下ケース２３の左右方向のほぼ中央に位置するように付勢されているので、接続管２２と延長管１４とが離間した際に、噛合部材４０と歯車部４２とが噛み合うことで回動部３２が回動していない状態に保持され、接続管２２は吸込口本体２１の左右方向中央部に起立した状態となる。
【００２９】
つまり、噛合部材４０、コイルバネ４１、４１、歯車部４２によって、接続管２２を吸込口本体２１の左右方向中央部に起立した状態に保持する左右方向付勢手段を構成している。
【００３０】
中央カバー部３３は、円筒部３１の前部から前方に向けて突出し、上ケース２４の後部を閉鎖している。ここでは、上方に向かって円弧状に膨出した一部筒形状を呈している。
【００３１】
一対の側部カバー部３４、３４は、中央カバー部３３から左右方向にそれぞれ延在され、円弧断面形状に形成されている。この側部カバー部３４、３４は、上ケース２４と一体に組み付けられて吸込口室２５の後部を区画している。
【００３２】
後部縦壁部３５は、円筒部３１の下部及び側部カバー部３４、３４の下部から、一体的に左右方向にそれぞれ延びており、吸込口室２５の後部を区画している。
【００３３】
この後部縦壁部３５の両端部には左右方向に延びる一対の掛止部３５ａ、３５ａが形成されている。各掛止部３５ａには、上ケース２４の後部両端にスライド可能に設けられた一対の掛止爪部２４ａ、２４ａが保持されるようになっている。
【００３４】
上ケース２４の後部内壁に、後部カバー３０の側部カバー部３４、３４を当接させ、外側に位置する掛止爪部２４ａ、２４ａを互いに近接するようにスライド移動させると、掛止爪部２４ａ、２４ａが掛止部３５ａ、３５ａ内に挿入保持されて、上ケース２４と後部カバー３０とが組み合わせられて一体になる。また、掛止爪部２４ａ、２４ａを互いに離間するようにスライド移動させると、掛止爪部２４ａ、２４ａが掛止部３５ａ、３５ａから離脱し、上ケース２４と後部カバー３０とを分離できるようになっている。
【００３５】
一対の脚部上壁部３６、３６は、後部縦壁部３５から後方に向けて突出形成されている。各脚部上壁部３６は、下ケース２３の車輪支持部２９ａ、２９ａと図示しない木ネジ等により固定される。これにより、下ケース２３、上ケース２４、後部カバー３０が一体になる。
【００３６】
軸受部６０は、回動部３２の後端部から後方に向かって一体的に突出形成された軸受下部６１と、この軸受下部６１の上部を覆う軸受上部６２とを有している。
【００３７】
軸受下部６１は、下側軸受板６３ａ、６３ｂによって区画された一対の下側接続室６４、６４と、これらの下側接続室６４、６４間を連結する底板６１ａとを有している。
【００３８】
下側軸受板６３ａ、６３ｂには、それぞれ半円状の下側軸受凹部６７ａ、６７ｂが形成されている。そして、一方の下側軸受板６３ａには、一方の下側接続室６４内に突出する下側バネ保持部６９Ａが形成されている。この下側バネ保持部６９Ａは、下側軸受凹部６７ａよりも前側下方に設けられている。
【００３９】
また、下側接続室６４内部には、それぞれ上方に向けて突設されたボス穴部６４ａが形成されている。
【００４０】
そして、底壁６１ａの上面は、図３に示すように、下方に向かって円弧状にへこむ湾曲面状に形成されている。
【００４１】
一方、軸受上部６２は、上側軸受板６５ａ、６５ｂによって区画された一対の上側接続室６６、６６と、これらの上側接続室６６、６６を連結する天板６２ａとを有している。
【００４２】
上側軸受板６５ａ、６５ｂには、それぞれ半円状の上側軸受凹部６８ａ、６８ｂが形成されている。そして、一方の上側軸受板部６５ａには、一方の上側接続室６６内に突出する上側バネ保持部６９Ｂが形成されている。この上側バネ保持部６９Ｂは、上側軸受凹部６８ａよりも後側上方に設けられている。
【００４３】
また、上側接続室６６内部には、それぞれ下方に向けて突設されたボス６６ａが形成されている。
【００４４】
そして、天板６２ａの下面は、図３に示すように、上方に向けて円弧状にへこむ湾曲面状に形成されている。
【００４５】
なお、この軸受下部６１と、軸受上部６２とは、ボス６６ａをボス穴部６４ａに挿入することで位置決めを行い、さらに、下方から図示しない木ねじをボス６６ａにねじ込むことにより、一体に固定される。
【００４６】
また、ここでは、軸受上部６２の前縁部６２ｂは、回動部３２の後端部に形成された段部３２ａと噛み合うようになっている。軸受上部６２の前縁部６２ｂが段部３２ａに一致した状態で当接することにより、外部からの空気の進入による吸込口室２５の負圧低下が防止される。
【００４７】
そして、軸受上部６２の後縁部６２ｃは、接続管２２が上方に回動可能なようにえぐられている。
【００４８】
さらに、下側軸受板６３ａ、６３ｂの上端部と、上側軸受板６５ａ、６５ｂの下端部には、それぞれ段部６３ｃ、６５ｃが形成されており、各段部６３ｃ、６５ｃが互いに一致した状態で当接することにより、下側軸受板６３ａ、６３ｂと、上側軸受板６５ａ、６５ｂとの間の繋ぎ目において隙間が閉鎖されるようになっている。
【００４９】
そして、底板６１ａ、下側軸受板６３ａ、６３ｂ、上側軸受板６５ａ、６５ｂ、天板６２ａによって区画された、軸受室６０ａ内には、接続管２２の連結部５０が格納される。
【００５０】
連結部５０は、図６（ａ）に示すように、接続管２２の先端部に一体形成された連結部本体５０ａと、この連結部本体５０ａの両端面から側方に突出した一対の回動軸５１、（他方図示せず）とを有している。
【００５１】
連結部本体５０ａは、前方に開放したほぼ半円筒形状を呈しており、上端縁部５２ａ及び下端縁部５２ｂが周面から突出している。
【００５２】
そして、上端縁部５２ａが、軸受上部６２の湾曲面状に形成された天板６２ａに沿って摺接し、下端縁部５２ｂが、軸受下部６１の湾曲面状に形成された底板６１ａに沿って摺接する。
【００５３】
なお、図３に示すように、底板６１ａの後端には、下端縁部５２ｂの移動を規制する段部６１ｂが形成され、天板６２ａの後端には、上端縁部５２ａの移動を規制する段部６２ｄが形成されている。
【００５４】
また、連結部本体５０ａの左右側壁は、下側軸受板６３ａ、６３ｂ及び上側軸受板６５ａ、６５ｂに沿って摺接することにより、回動部５１の周縁部の気密性が確保されている。
【００５５】
一対の回動軸５１、（他方図示せず）は、それぞれ円筒形状を呈しており、この回動軸５１の中心には、第一回動軸Ａと直交する第二回動軸Ｂが通っている（図６（ａ）参照）。
【００５６】
そして、各回動軸５１、（他方図示せず）は、下側軸受凹部６７ａ、６７ｂと上側軸受凹部６８ａ、６８ｂとの間に保持され、第二回動軸Ｂを中心に回動可能となっている。これにより、連結部５０は、この第二回動軸Ｂを中心に上下方向に回動可能となっている。
【００５７】
さらに、一方の回動軸５１には、ねじりバネ９０が嵌合されている。
【００５８】
このねじりバネ９０は、図６（ｂ）に示すように、一方の端部９０ａが、下方に向けて延在されると共に下側バネ保持部６９Ａの下側に係合し、他方の端部９０ｂが、上方に向けて延在される共に上側バネ保持部６９Ｂの下側に係合する。
【００５９】
そして、このねじりバネ９０によって、連結部５０が矢印Ｍで示す方向（図６（ｂ）参照）に付勢されるので、接続管２２と延長管１４とが離間した際に、接続管２２は上方に向かって起立した状態となる。
【００６０】
つまり、ねじりバネ９０、下側バネ保持部６９Ａ、上側バネ保持部６９Ｂによって、接続管２２を起立した状態に保持する上下方向付勢手段を構成している。
【００６１】
さらに、回動部３２が円筒部３１の第一回動軸Ａに対して回動可能となっていると共に、回動軸５１が下側軸受凹部６７ａ、６７ｂと上側軸受凹部６８ａ、６８ｂとに第二回動軸Ｂを中心に回動可能に保持されているので、接続管２２は、第一回動軸Ａを中心に左右方向に回動可能に支持されると共に、第一回動軸Ａに対して直交する第二回動軸Ｂを中心に上下方向に回動可能に支持されることとなる。
【００６２】
この接続管２２は、図３に示すように、吸込口室２５、円筒部３１、軸受室６０ａ、連結部５０を介して吸込口２６と連通している。
【００６３】
また、この接続管２２は、連結部５０から床面上方に延びるように屈曲された後に直線状に延びており、この直線状に延びた部分に、端子カバー２２ａが取り付けられている。この端子カバー２２ａは、延長管１４に配線がなされているときに図示しない端子穴を閉鎖する。
【００６４】
なお、図３において、１００は上ケース２４の前部に開口された回転清掃体２７を円滑に回転させるための吸気穴であり、１０１は下ケース２３の下面に保持されたブラシである。
【００６５】
次に、この発明の電気掃除機の吸込口体の作用について説明する。
【００６６】
この電気掃除機１０を使用するには、まず、延長管１４の先端に吸込口体２０を挿入接続する。
【００６７】
このとき、ねじりバネ９０が下側バネ保持部６９Ａ及び上側バネ保持部６９Ｂに係合することで、連結部５０が矢印Ｍ（図６（ｂ）参照）で示す方向に付勢されているので、吸込口体２０の接続管２２は、上方に向かって起立した状態に保持される。
【００６８】
また、コイルバネ４１、４１によって吸込口本体２１の左右方向中央部に位置した噛合部材４０に歯車部４２が噛み合うことで、回動部３２が回動していない状態となり、吸込口体２０の接続管２２は、吸込口本体２１の左右方向中央に起立した状態に保持される。
【００６９】
そのため、この接続管２２が自立することができ、延長管１４に挿入接続する際に、この接続管２２を接続しやすい方向に向けて支持する必要がなくなる。これにより、延長管１４と接続管２２とを容易に接続することが可能となる。
【００７０】
そして、延長管１４に吸込口体２０を接続したら、手元操作パイプ１３に設けられたスイッチ１３ａを入れ、電動送風機１６を駆動させる。電動送風機１６が駆動すると吸込負圧が発生し、集塵袋１５、集塵ホース１２、手元操作パイプ１３、延長管１４を順に介して吸込口体２０内に吸込負圧が作用する。
【００７１】
そして、この吸込負圧によって吸込口体２０に形成された吸込口２６から被清掃面Ｆ上の塵埃及び空気が吸い込まれ、延長管１４、手元操作パイプ１３、集塵ホース１２を介して掃除機本体１１の集塵袋１５へ吸い込まれ、この集塵袋１５内に塵埃が捕集されることとなる。
【００７２】
さらに、吸込口体２０を延長管１４から抜き外す場合には、図示しないロック手段を解除して、延長管１４を吸込口体２０の接続管２２から引き抜く。
【００７３】
このとき、接続管２２が上下方向付勢手段及び左右方向付勢手段によって起立した状態に保持されるので、接続管２２が延長管１４の先端から離間した瞬間に接続管２２が倒れることがなくなる。
【００７４】
これにより、延長管１４と接続管２２とを離間させる際にも、接続管２２を支持する必要がなくなると共に、接続管２２によって被清掃面Ｆを傷つけたり、接続管２２が破損したりすることを防止できる。
【００７５】
以上説明したように、この発明の電気掃除機の吸込口体２０は、塵埃を吸い込む吸込口２６を有する吸込口本体２１に、この吸込口２６に連通すると共に電気掃除機１０の連通管である延長管１４に接続される接続管２２が取り付けられ、この接続管２２が、吸込口本体２１の長手方向に対して直交する第一回動軸Ａを中心に左右方向に回動可能に支持されると共に、この第一回動軸Ａに対して直交する第二回動軸Ｂを中心に上下方向に回動可能に支持された吸込口体２０であって、吸込口本体２１は、延長管１４から離間した際に接続管２２を起立した状態に保持する上下方向付勢手段を構成するねじりバネ９０、下側バネ保持部６９Ａ、上側バネ保持部６９Ｂ及び左右方向付勢手段を構成する噛合部材４０、コイルバネ４１、４１、歯車部４２を備えている。
【００７６】
これにより、延長管１４から離間した接続管２２を起立した状態に保持することができ、接続管２２と延長管１４とを接続する際に、接続管２２を接続しやすい方向に向けて支持する必要がなくなり、容易に電気掃除機１０に接続することができる。
【００７７】
以上、この発明にかかる実施の形態の一つを図面により詳述してきたが、具体的な構成は上述の実施の形態に限らない。この発明の要旨を逸脱しない範囲の設計の変更等はこの発明に含まれる。
【００７８】
例えば、図７に示すように、接続管２２を吸込口本体２１の左右方向中央に起立させるための左右方向付勢手段を、下ケース２３に形成した一対の固定フック４５、４５と、回動部３２の外周面から突出させた一対の回動部フック４６、４６と、固定フック４５、４５、回動部フック４６、４６間にそれぞれ架け渡したゴム部材４７、４７とによって構成してもよい。
【００７９】
この場合、一対のゴム部材４７、４７が互いに反対方向に向かって回動部３２を付勢しているので、この回動部３２を回動していない状態に保持することができる。
【００８０】
これにより、接続管２２は、吸込口本体２１の左右方向中央部に起立した状態となって、延長管１４を容易に接続することができる。また、部品点数が少なくてよく、組み立ても容易化することができる。
【図面の簡単な説明】
【００８１】
【図１】この発明の吸込口体を備えた電気掃除機の全体を示す斜視図である。
【図２】この発明の電気掃除機の吸込口体を示す平面図である。
【図３】図２におけるＡ−Ａ断面図である。
【図４】下ケースを示す平面図である。
【図５】左右方向付勢手段を示す説明図である。
【図６】（ａ）は後部カバー及び接続管の連結部を示す要部分解斜視図であり、（ｂ）は接続管と軸受部との組み付け状態を示す説明図である。
【図７】左右方向付勢手段の他の例を示す説明図である。
【符号の説明】
【００８２】
１０        電気掃除機
１４        延長管（連通管）
２０        吸込口体
２１        吸込口本体
２２        接続管
２６        吸込口
４０        噛合部材（左右方向付勢手段）
４１        コイルバネ（左右方向付勢手段）
４２        歯車部（左右方向付勢手段）
６９Ａ      下側バネ保持部（上下方向付勢手段）
６９Ｂ      上側バネ保持部（上下方向付勢手段）
９０        ねじりバネ（上下方向付勢手段）
【図１】
2006326127.tif 000003
【図２】
2006326127.tif 000004
【図３】
2006326127.tif 000005
【図４】
2006326127.tif 000006
【図５】
2006326127.tif 000007
【図６】
2006326127.tif 000008
【図７】
2006326127.tif 000009